(57)【要約】【課題】スクリーンで反射した投影光を利用して装飾効果を高める。【解決手段】反射部材４２は、光を乱反射させる。反射部材駆動部４３は、反射部材４２を、スクリーン３０で反射したプロジェクタ２０からの投影光の光路上における反射位置と、光路上以外の退避位置とに変位させる。【選択図】図２
2015060157.tif 000002
【特許請求の範囲】
【請求項１】
投影光をスクリーンの背面に投光することにより該スクリーンに映像を表示させるプロジェクタとともに使用される装飾装置であって、
前記スクリーンで反射した前記プロジェクタからの投影光の光路上における反射位置に設置されたことを特徴とする装飾装置。
【請求項２】
光を乱反射させる反射部材と、
前記反射部材を、前記反射位置と、前記光路上以外の退避位置とに変位させる変位手段と、
を備えたことを特徴とする請求項１に記載の装飾装置。
【請求項３】
予め定められた開始時間となったときに、前記反射部材を前記退避位置から前記反射位置に変位させ、予め定められた終了時間となったときに、前記反射部材を前記反射位置から前記退避位置に変位させるように前記変位手段を制御する制御手段を備えたことを特徴とする請求項２に記載の装飾装置。
【請求項４】
前記反射部材は、可撓性部材に取り付けられ、
前記変位手段は、前記可撓性部材を巻き取り及び繰り出すことにより、前記反射部材を変位させることを特徴とする請求項２又は３に記載の装飾装置。
【請求項５】
前記反射部材は、浮力を有することを特徴とする請求項４に記載の装飾装置。
【請求項６】
請求項１〜５のいずれか一項に記載の装飾装置を備えたプロジェクタ装置であって、
前記スクリーンの下方から投影光を投光するプロジェクタを備えたことを特徴とするプロジェクタ装置。
【発明の詳細な説明】
【技術分野】
【０００１】
本発明は、装飾装置及びプロジェクタ装置に関する。
【背景技術】
【０００２】
従来、投影光をスクリーンに投光してスクリーン上に映像を表示させるプロジェクタ装置が知られており、例えば、スクリーンに広告・宣伝画像を表示させることにより、消費者の購買意欲を向上させる等、広告・宣伝効果の向上が図られている。
【０００３】
また、従来のプロジェクタ装置には、例えば、スクリーンの正面側あるいは背面側の上方又は下方に設置して、スクリーンに対して角度をつけて投光するようにしたものがある（例えば、特許文献１）。
【先行技術文献】
【特許文献】
【０００４】
【特許文献１】特開２０１２−８８６３６号公報
【発明の概要】
【発明が解決しようとする課題】
【０００５】
しかしながら、上記特許文献１のようなプロジェクタ装置は、省スペース化を図るため、あるいは、スクリーンと一体型のプロジェクタ装置にあっては、小型化、短焦点化を実現するために、スクリーンに対して投影光の入射角を大きくする必要がある。そのため、例えば、図６に示すように、従来のプロジェクタ装置１０００では、プロジェクタ１０２０からの投影光Ｌａの一部がスクリーン１０３０で反射するが、その反射した投影光Ｌｂは、映像を表示させることには全く寄与せず、無駄なものとなっている。
【０００６】
本発明の課題は、スクリーンで反射した投影光を利用して装飾効果を高めることである。
【課題を解決するための手段】
【０００７】
以上の課題を解決するため、請求項１に記載の発明は、投影光をスクリーンの背面に投光することにより該スクリーンに映像を表示させるプロジェクタとともに使用される装飾装置であって、
前記スクリーンで反射した前記プロジェクタからの投影光の光路上における反射位置に設置されたことを特徴とする。
【発明の効果】
【０００８】
本発明によれば、スクリーンで反射した投影光を利用して装飾効果を高めることができる。
【図面の簡単な説明】
【０００９】
【図１】プロジェクタ装置の外観を表す斜視図である。
【図２】プロジェクタ装置の概略構成について説明する側面図である。
【図３】プロジェクタ装置の機能的構成について説明するブロック図である。
【図４】反射部材駆動処理について説明するフローチャートである。
【図５】プロジェクタ装置の他の実施の形態の概略構成について説明する側面図である。
【図６】従来のプロジェクタ装置における課題について説明する図である。
【発明を実施するための形態】
【００１０】
以下に、本発明を実施するための最良の形態について図面を用いて説明する。ただし、以下に述べる実施形態には、本発明を実施するための技術的に好ましい種々の限定が付されているが、発明の範囲を以下の実施形態及び図示例に限定するものではない。
【００１１】
図１は、本実施の形態に係るプロジェクタ装置１００を示している。なお、本実施の形態において、前後、左右、上下とは、プロジェクタ装置１００を視聴する視聴者がプロジェクタ装置１００に対向した状態における前後、左右、上下を意味する。
【００１２】
プロジェクタ装置１００は、図１に示すように、床面に載置される方形状の筐体１０を備えている。筐体１０は、上面の略中央に凹部１１が形成されている。凹部１１の底面は、筐体１０の後方から前方にかけて上り傾斜をなしている。凹部１１には、映像光を投光するためのプロジェクタ２０が収容されている。プロジェクタ２０は、投光レンズ２１が前方に向くように凹部１１の底面に載置されている。なお、本実施の形態では、プロジェクタ２０は、凹部１１に収容されている形態としたが、プロジェクタ２０の一部が筐体１０の上面よりも突出するようにして設けられていてもよいし、筐体１０の上面に載置される形態であってもよい。
【００１３】
筐体１０の上面の前端には、スクリーン３０が支持部材３１を介して立設されている。スクリーン３０は、例えば、アクリル板などの一枚の透光板により形成され、方形状をなしている。透光板の背面には背面投影用のフィルムスクリーンが積層され、なおかつフィルムスクリーンの背面にはフィルム状のフレネルレンズが積層されている。プロジェクタ２０は、投光レンズ２１から放射状の投影光をスクリーン３０の後面に向けて投光することにより、スクリーン３０の前側から映像を視認することができる。ここで、プロジェクタ２０は、投光レンズ２１から投光される投影光の光軸がスクリーン３０の中心に向けられるように投影光を投光する。本実施の形態では、プロジェクタ２０は、スクリーン３０の中心よりも下方に設けられているので、図２に示すように、投光レンズ２１から投光される投影光Ｌ１の光軸は、スクリーン３０の表示面に対して鋭角をなす。そのため、投光レンズ２１から投光される投影光Ｌ１の一部は、スクリーン３０の表示面と光軸とでなす入射角θと同一の角度の反射角θでスクリーン３０の裏面で反射する。スクリーン３０で反射した投影光Ｌ２は、後側上方に向かう。
【００１４】
本実施の形態では、図１及び図２に示すように、筐体１０におけるプロジェクタ２０の後方に装飾装置４０が設けられている。具体的には、装飾装置４０は、筐体１０の上面後方に開設された貫通孔１２を貫通して設けられ、上下方向に延びた円柱状の支持部材４１と、支持部材４１の先端に取り付けられた球状の反射部材４２とを備えている。反射部材４２には、光を反射する多数の反射板４２ａが外周面に沿ってマトリクス状に貼着されている。なお、反射板４２ａは、鏡面加工されていても粗面状とされていてもよい。また、反射板４２ａに適用される材料は、光を反射することができるものであれば、何れのものも採用することができる。反射部材４２は、上述したように構成されているので、反射部材４２に対する光を乱反射させることができる。すなわち、反射部材４２は、プロジェクタ２０から投光され、一部がスクリーン３０の裏面にて反射して反射部材４２に到達した投影光Ｌ２を乱反射させることができる。
【００１５】
また、装飾装置４０は、反射部材駆動部４３を備えている。反射部材駆動部４３は、例えば、支持部材４１を上下方向に移動させるためのギアと、ギアを駆動するモータとを備えている。反射部材駆動部４３は、モータを駆動することにより、支持部材４１を上下方向に移動させることができる。すなわち、反射部材駆動部４３は、支持部材４１を上下方向に移動させることにより、プロジェクタ２０から投光され、スクリーン３０の裏面にて反射した投影光Ｌ２の光路上における反射位置（図２中、実線で示す位置）と、当該投影光Ｌ２の光路上以外の退避位置（図２中、鎖線で示す位置）とに反射部材４２を変位させることができる。換言すれば、反射部材駆動部４３は、反射部材を、スクリーンで反射したプロジェクタからの投影光の光路上における反射位置と、光路上以外の退避位置とに変位させる変位手段として機能する。
なお、反射位置は、スクリーン３０で反射した投影光Ｌ２の反射角θに応じて、適宜の位置に設定すればよい。また、退避位置は、スクリーン３０で反射した投影光Ｌ２の光路上以外の位置であれば、何れの位置であってもよい。
また、反射部材駆動部４３は、支持部材４１の延在方向を回転軸として反射部材４２を回転させることができる。なお、反射部材４２を回転させない形態であってもよい。
【００１６】
本実施の形態では、上述したようにして構成されているので、スクリーン３０の裏面にて反射した投影光Ｌ２を反射部材４２で乱反射させることにより、反射部材４２の周囲を照明することができる。したがって、従来、活用されていなかったスクリーン３０の裏面にて反射した投影光Ｌ２を有効に活用することができる。また、スクリーン３０で反射した投影光Ｌ２を利用してプロジェクタ装置１００から離れた位置にいる人に対して注意を惹きつけることができ、広告・宣伝効果を高め、装飾効果を向上させることができる。また、本実施の形態では、反射部材駆動部４３により反射部材４２を回転させるようにしたので、装飾効果をより一層向上させることができる。
【００１７】
次に、プロジェクタ装置１００の機能的構成について、図３を参照しながら説明する。
【００１８】
プロジェクタ装置１００は、図３に示すように、上述したプロジェクタ２０及び反射部材駆動部４３の他、例えば、制御部５０と、記憶部６０と、通信部７０とを備え、これらは筐体１０に収容されている。
【００１９】
制御部５０は、例えば、ＣＰＵ（Central Processing Unit）、ＲＡＭ（Random Access Memory）を備えて構成され、記憶部６０に記憶されているシステムプログラム等の各種処理プログラムを読み出してＲＡＭに展開し、展開したプログラムに従ってプロジェクタ装置１００の各部の動作を集中制御する。
記憶部６０は、半導体等の不揮発メモリ等により構成され、プロジェクタ装置１００に対応するシステムプログラム及び該システムプログラム上で実行可能な反射部材駆動プログラム等の各種処理プログラムや、各種データ等を記憶する。これらのプログラムは、コンピュータが読み取り可能なプログラムコードの形態で格納され、ＣＰＵは、当該プログラムコードに従った動作を逐次実行する。
ＲＡＭは、ＣＰＵにより実行される各種プログラム及びこれらプログラムに係るデータを一時的に記憶するワークエリアを形成する。
【００２０】
通信部７０は、モデム、ルータ、ネットワークカード等により構成される。通信部７０は、通信ネットワークを介して外部装置と接続可能であり、接続された外部装置とコンテンツデータ等のデータの送受信を行う。
【００２１】
次に、上述のようにして構成されたプロジェクタ装置１００の制御部５０にて実行される反射部材駆動処理について図４を参照しながら説明する。反射部材駆動処理は、例えば、所定の操作により反射部材駆動部４３を起動させたときに実行される処理である。
【００２２】
まず、制御部５０は、プロジェクタ２０から投光された投影光Ｌ１の光軸とスクリーン３０の表示面とでなす入射角θに応じて反射部材４２の反射位置の設定を行う（ステップＳ１０１）。
【００２３】
次に、制御部５０は、予め設定されたタイムセール期間であるか否かを判定する（ステップＳ１０２）。制御部５０は、タイムセール期間であると判定したときは（ステップＳ１０２：Ｙ）、反射部材４２を反射位置に移動させるように反射部材駆動部４３を駆動制御する（ステップＳ１０３）。すなわち、制御部５０は、予め定められた開始時間となったときに、反射部材４２を退避位置から反射位置に変位させるように反射部材駆動部４３を制御する。
【００２４】
一方、制御部５０は、タイムセール期間であると判定しないときは（ステップＳ１０２：Ｎ）、反射部材４２が反射位置にあるか否かを判定する（ステップＳ１０４）。制御部５０は、反射部材４２が反射位置にあると判定した場合には（ステップＳ１０４：Ｙ）、反射部材４２を退避位置に移動させるように反射部材駆動部４３を駆動制御する（ステップＳ１０５）。すなわち、制御部５０は、予め定められた終了時間となったときに、反射部材４２を反射位置から退避位置に変位させるように反射部材駆動部４３を制御する。
【００２５】
制御部５０は、動作を終了するか否かを判定する（ステップＳ１０６）。具体的には、制御部５０は、所定の反射部材駆動部４３の動作停止操作が行われたか否かにより、動作の終了を判定する。制御部５０は、動作を終了すると判定したときは（ステップＳ１０６：Ｙ）、この処理を終了する。一方、制御部５０は、動作を終了すると判定しないときは（ステップＳ１０６：Ｎ）、ステップＳ１０２の処理を実行する。
【００２６】
本実施の形態では、上述したように構成されているので、例えば、タイムセールであることを効果的に注意喚起させることができ、広告・宣伝効果が向上し、装飾効果を高めることができる。また、本実施の形態に係るプロジェクタ装置１００を、店舗内における特定の売り場に設置すれば、例えば、タイムセールが実施されている売り場であることを報知することができ、広告・宣伝効果をさらに向上させることができるようになる。
【００２７】
以上説明したように、本実施の形態では、装飾装置４０を、スクリーン３０で反射したプロジェクタ２０からの投影光の光路上における反射位置に設置したので、スクリーンで反射した投影光を利用して装飾効果を高めることができる。
【００２８】
また、本実施の形態では、反射部材４２は、光を乱反射させる。反射部材駆動部４３は、反射部材４２を、反射位置と、光路上以外の退避位置とに変位させる。その結果、例えば、所望のときに反射部材を反射位置に移動させて、スクリーンにて反射したプロジェクタからの投影光を反射部材で乱反射させることで反射部材の周囲を照明することができ、スクリーンで反射したプロジェクタからの投影光を有効に利用して注意を惹きつけることができ、広告・宣伝効果を高め、装飾効果を向上させることができるようになる。
【００２９】
また、本実施の形態では、制御部５０は、予め定められた開始時間となったときに、反射部材４２を退避位置から反射位置に変位させ、予め定められた終了時間となったときに、反射部材４２を反射位置から退避位置に変位させるように反射部材駆動部４３を制御する。その結果、例えば、タイムセール等の特定の期間において、当該特定の期間である旨を効果的に注意喚起させることができ、広告・宣伝効果が向上し、装飾効果をさらに高めることができるようになる。
【００３０】
また、本実施の形態では、装飾装置４０とともに、スクリーン３０の下方から投影光を投光するプロジェクタ２０を備えたので、容易に装置の設置が可能であり、また、反射部材にて上方を照明するので、アテンション効果をより高めることができるようになる。
【００３１】
なお、上記実施形態における記述内容は、本発明に係る装飾装置及びプロジェクタ装置の好適な一例であり、これに限定されるものではない。
【００３２】
また、本実施の形態では、プロジェクタ２０と装飾装置４０とが一体となったプロジェクタ装置１００としているが、装飾装置４０をプロジェクタ装置１００から分離させた形態であってもよい。このようにすると、装飾装置４０を配置する位置を任意の位置とすることができ、装飾装置４０を高い位置に設定することができるため、アテンション効果が高まる。このとき、例えば、図４に示される反射部材駆動処理の反射位置の設定（ステップＳ１０１）においては、プロジェクタ２０から投光された投影光Ｌ１の光軸とスクリーン３０の表示面とでなす入射角θの他、プロジェクタ装置１００と、当該プロジェクタ装置１００から分離された装飾装置４０との距離に基づいて反射部材４２の反射位置の設定を行うことが好ましい。
【００３３】
また、本実施の形態では、装飾装置４０を床に載置して反射部材４２を下方から支持する形態としたが、反射部材４２を上方から支持する形態であってもよく、例えば、装飾装置４０を天井から吊り下げる形態であってもよい。
【００３４】
また、本実施の形態では、スクリーン３０よりも下方にプロジェクタ２０を配置し、スクリーン３０の下方から投影光を投光する形態としたが、プロジェクタ２０をスクリーン３０よりも上方に配置し、スクリーン３０の上方から投影光を投光する形態としてもよい。この場合、スクリーン３０で反射した投影光は後側下方に向かうので、装飾装置４０の反射部材４２はスクリーン３０で反射した投影光の光路上となるように下方に設置されることとなる。
【００３５】
また、本実施の形態におけるプロジェクタ装置１００では、装飾装置４０の支持部材４１の先端に反射部材４２を設け、反射部材駆動部４３が支持部材４１を移動させることにより、反射部材４２の位置を変位させる構成としたが、例えば、図５に示すように、支持部材４１Ａが糸等の可撓性部材により構成され、反射部材４２Ａがヘリウムガス等の空気よりも比重の軽いガスが充てんされた浮力を有する風船等によって構成され、反射部材４２Ａの外周には、アルミ箔のような軽量の反射材が貼着されるように構成された装飾装置４０Ａを備えたプロジェクタ装置１００Ａとしてもよい。そして、装飾装置４０Ａは、反射部材駆動部４３Ａを備えており、この反射部材駆動部４３Ａは、例えば、円柱状の巻取部材を有し、この巻取部材を図５中矢印Ｒの方向に回転させることにより、支持部材４１Ａを巻き取り及び繰り出しが可能に構成されている。そして、反射部材駆動部４３Ａにより支持部材４１Ａを巻き取り及び繰り出しを行うことにより、反射部材４２Ａを反射位置（図５上、実線で示す位置）と退避位置（図５上、鎖線で示す位置）とに変位させることができる。
【００３６】
すなわち、上述した実施形態によれば、反射部材４２Ａは、支持部材４１Ａに取り付けられている。反射部材駆動部４３Ａは、支持部材４１Ａを巻き取り及び繰り出すことにより、反射部材４２Ａを変位させる。その結果、簡素な構成により反射部材を移動させることができる。
【００３７】
また、上述した実施形態によれば、反射部材４２Ａは、浮力を有するので、浮力を有する反射部材を利用した装飾を行うことができ、広告・宣伝効果を高め、装飾効果をより向上させることができるようになる。
【００３８】
なお、上述した実施の形態において、反射部材４２Ａを、空気よりも比重の重いガスで充てんするようにし、反射部材駆動部４３Ａを上方に設けて、反射部材４２Ａを上方から支持するようにしてもよい。
【００３９】
また、本実施の形態では、反射部材４２に反射板４２ａを貼着してプロジェクタ２０から反射した投影光を乱反射させるようにしたが、例えば、反射部材４２に文字情報等により構成された反射板を設け、プロジェクタ２０から反射した投影光を反射させて、例えば、壁面に当該文字情報を表示させるようにしてもよい。
【００４０】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００４１】
その他、プロジェクタ装置を構成する各装置の細部構成及び細部動作に関しても、発明の趣旨を逸脱することのない範囲で適宜変更可能である。
【００４２】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
投影光をスクリーンの背面に投光することにより該スクリーンに映像を表示させるプロジェクタとともに使用される装飾装置であって、
前記スクリーンで反射した前記プロジェクタからの投影光の光路上における反射位置に設置されたことを特徴とする装飾装置。
＜請求項２＞
光を乱反射させる反射部材と、
前記反射部材を、前記反射位置と、前記光路上以外の退避位置とに変位させる変位手段と、
を備えたことを特徴とする請求項１に記載の装飾装置。
＜請求項３＞
予め定められた開始時間となったときに、前記反射部材を前記退避位置から前記反射位置に変位させ、予め定められた終了時間となったときに、前記反射部材を前記反射位置から前記退避位置に変位させるように前記変位手段を制御する制御手段を備えたことを特徴とする請求項２に記載の装飾装置。
＜請求項４＞
前記反射部材は、可撓性部材に取り付けられ、
前記変位手段は、前記可撓性部材を巻き取り及び繰り出すことにより、前記反射部材を変位させることを特徴とする請求項２又は３に記載の装飾装置。
＜請求項５＞
前記反射部材は、浮力を有することを特徴とする請求項４に記載の装飾装置。
＜請求項６＞
請求項１〜５のいずれか一項に記載の装飾装置を備えたプロジェクタ装置であって、
前記スクリーンの下方から投影光を投光するプロジェクタを備えたことを特徴とするプロジェクタ装置。
【符号の説明】
【００４３】
１００  プロジェクタ装置
２０  プロジェクタ
３０  スクリーン
４０  装飾装置
４２  反射部材
４３  反射部材駆動部
５０  制御部
１００Ａ  プロジェクタ装置
４０Ａ  装飾装置
４１Ａ  支持部材
４２Ａ  反射部材
４３Ａ  反射部材駆動部
【図１】
2015060157.tif 000003
【図２】
2015060157.tif 000004
【図３】
2015060157.tif 000005
【図４】
2015060157.tif 000006
【図５】
2015060157.tif 000007
【図６】
2015060157.tif 000008